(57)【要約】【課題】本発明は、ディスプレイ装置に関するものであり、ディスプレイパネルに接続される複数の回路フィルムと印刷回路基板などを保護して放熱性能を高めながら、ディスプレイ装置の外郭部わく部分の面積を減少させることができるナローベゼルタイプのディスプレイ装置を提供する。【解決手段】本発明によれば、ディスプレイ装置において、前面わくの幅を大幅に減らすとともに、ディスプレイパネルに接続される複数の回路フィルムおよび印刷回路基板などを保護して放熱性能を高めることができる効果がある。【選択図】図３
2018084818.tif 000002
【特許請求の範囲】
【請求項１】
ディスプレイパネルと、
一側が前記ディスプレイパネルと連結され、他側が印刷回路基板と連結され、前記印刷回路基板が前記ディスプレイパネルの端部と離隔された位置の後面に平行に配置されるようにベンディングされ、前記ディスプレイパネルの両側方向に離隔配置される複数個の回路フィルムと、
前記回路フィルムと前記印刷回路基板が内蔵されるように、前記ディスプレイパネルの後面に具備されるバックカバーと、
前記印刷回路基板とバックカバーとの間隔を維持するように支持して結合される第１支持部材と、
を含むディスプレイ装置。
【請求項２】
前記回路フィルムの離隔された間に配置され、前記ディスプレイパネルとバックカバーとの間を支持して結合される第２支持部材をさらに含む
請求項１に記載のディスプレイ装置。
【請求項３】
前記ディスプレイパネルの後面と前記回路フィルムとの間に結合されて間隔を維持するように支持する第３支持部材をさらに含む
請求項２に記載のディスプレイ装置。
【請求項４】
前記バックカバーは、前記第２支持部材が結合される位置に前記ディスプレイパネル側に突き出される段差部が具備されている
請求項３に記載のディスプレイ装置。
【請求項５】
前記バックカバーの段差部内側面には、放熱部材が具備されている
請求項４に記載のディスプレイ装置。
【請求項６】
前記回路フィルムに具備されている駆動ＩＣは、前記放熱部材と密着することで支持される
請求項５に記載のディスプレイ装置。
【請求項７】
前記回路フィルムのベンディングされた曲率を維持させるように、前記ディスプレイパネルの後面と前記回路フィルムのベンディング部位外側にレジン部材が具備される
請求項６に記載のディスプレイ装置。
【請求項８】
前記バックカバーは、前記ディスプレイパネルの後面に配置される第１プレートと、前記第１プレートの端部から前記ディスプレイパネルの端部側に折曲されて前記回路フィルムと前記ディスプレイパネルの端部を保護する第２プレートが具備されている
請求項１に記載のディスプレイ装置。
【請求項９】
前記バックカバーは、前記第２プレートの外側面に、端部側にいくほど厚さが減る傾斜面が具備されている
請求項８に記載のディスプレイ装置。
【請求項１０】
前記バックカバーの端部には、前記回路フィルムを取り囲むように結合されて前記回路フィルムと前記ディスプレイパネルの端部を保護するミドルキャビネットが具備されている
請求項１に記載のディスプレイ装置。
【発明の詳細な説明】
【技術分野】
【０００１】
本発明は、ディスプレイ装置に関するものであり、より詳細には、ディスプレイパネルに接続される複数の回路フィルムと印刷回路基板などを保護して放熱性能を高めながら、ディスプレイ装置の外郭部わく部分のベゼルを減少させるナローベゼル(narrow bezel)タイプのディスプレイ装置に関するものである。
【背景技術】
【０００２】
一般に、平板形態のディスプレイ装置としては、液晶ディスプレイ装置(Liquid Crystal Display Device)、プラズマディスプレイ装置(Plasma Display Device)、電界放出ディスプレイ装置(Field Emission Display Device)、発光ディスプレイ装置(Light Emitting Display Device)などが活発に研究されているが、量産技術、駆動手段の容易性、高画質の具現という長所を有することから、液晶ディスプレイ装置と発光ディスプレイ装置が脚光を浴びている。
【０００３】
最近、平板ディスプレイ装置などの技術的な面の研究開発と併せて、需要者に対してアピールすることができる製品としての、デザイン的な面で研究開発の必要性が、特に高まっている。
【０００４】
これによって、ディスプレイ装置の厚さを最小化またはスリム化する努力がたゆむことなく進行されており、これと共に需要者の美的感覚に訴えて購買を刺激することができるスリム化または美感が増進されたデザインに対する要求が次第に高まっている。
【発明の概要】
【発明が解決しようとする課題】
【０００５】
しかし、現在まで進行されて来たディスプレイ装置のスリム化または美感増進のためのデザイン開発は、以前のディスプレイ装置を構成する構成要素をそのまま採用しながらその構成要素の構造を変更する方式で進行されてきた。そのため、ディスプレイ装置のスリム化や新しいデザインを開発するにおいて、ある程度限界があった。
【０００６】
特に、超高解像度または大面積のディスプレイ装置において、消費者のデザイン的要求を満足させるために外郭部わく部分の面積を減少させるナローベゼル(narrow bezel)タイプ、または外郭部のわく部分を削除したボーダーレス(borderless)タイプのディスプレイ装置に対する研究開発が活発になされている。
【０００７】
ナローベゼル(narrow bezel)タイプまたは外郭部わく部分を削除したボーダーレス(borderless)タイプと関連して図１と図２を参照すれば、現在利用されている従来のディスプレイ装置は、セットプレート１１１とセット側壁１１２によって設けられた収納空間を有するセットカバー１００、セットカバー１００に装着されて収納空間に収納されるガイドフレーム１２０、ガイドフレーム１２０に装着されたディスプレイパネル１３１を含むディスプレイユニット１３０、ガイドフレーム１２０の一側面に並んでいるセット側壁１１２の一側壁とガイドフレーム１２０の一側面の間に設けられた回路配置部１５０、ディスプレイパネル１３１に接続されるように回路配置部１５０に配置された複数の回路フィルム１３４、複数の回路フィルム１３４に接続されるように回路配置部１５０に配置された印刷回路基板１３５、バックライトユニット１３２及び回路配置部１５０を覆うデコカバー(Deco Cover)１４０を含んで構成される。
【０００８】
ここで、デコカバー１４０は、ガイドフレーム１２０の一側面に並んでいるセット側壁１１２の一側壁と、ガイドフレーム１２０の一側面との間の空間、すなわち、回路配置部１５０を覆うように、セット側壁１１２の一側壁とガイドフレーム１２０の一側面とに結合されることで、印刷回路基板１３５と複数の回路フィルム１３４とを保護する。このために、デコカバー１４０はカバープレート４１０、複数の第１及び第２結合部材１４２、１４３を含んで構成される。
【０００９】
しかし、このようなディスプレイ装置は、デコカバー１４０が回路配置部１５０を前面で覆うように結合される構造である。このため、ディスプレイ装置の前面わく幅、特に回路フィルム１３４がある領域の幅(W１)が増加され、これによって消費者が要求する多様で革新的なデザインを考案するための障害になっている。
【００１０】
特に、最近は、ベゼルの幅を減らすことが技術的に緊急度の高い関心事になっており、パネルのその大きさがますます拡がって行く趨勢であるため、ディスプレイ装置に内蔵される回路フィルム、印刷回路基板などを保護するとともに、ディスプレイ装置のベゼル幅を最小化するための研究が必要となっている実情がある。
【００１１】
このような背景で、本発明の目的は、ディスプレイ装置において、前面わくの幅を大幅に減らしてナローベゼルタイプを形成し、スリム化と軽量化をはかることができるディスプレイ装置を提供することにある。
【００１２】
本発明の他の目的は、ディスプレイ装置において、前面わくの幅を大幅に減らすとともに、ディスプレイパネルに接続される回路配置部に配置された複数の回路フィルムと、回路配置部に配置された印刷回路基板などを保護して放熱性能を高めることができるディスプレイ装置を提供することにある。
【００１３】
また、本発明の目的は、これに制限されることなく、言及されなかった他の目的は、以下の記載から通常の技術者に明確に理解されることができるであろう。
【課題を解決するための手段】
【００１４】
前述した目的を達成するために、本発明は、ディスプレイパネルに接続される複数の回路フィルムと印刷回路基板などを保護して放熱性能を高めながら、ディスプレイ装置の外郭部わく部分の面積を減少させることができるナローベゼル(narrow bezel)タイプのディスプレイ装置を提供する。
【発明の効果】
【００１５】
以上で説明したように、本発明によれば、ディスプレイ装置において、前面わくの幅を大幅に減らしてナローベゼルタイプを形成することができるようになり、かつ、スリム化と軽量化をはかることができる効果がある。
また、本発明によれば、ディスプレイ装置において、前面わくの幅を大幅に減らすとともに、ディスプレイパネルに接続される複数の回路フィルムと、印刷回路基板などを保護して放熱性能を高めることができる効果がある。
【図面の簡単な説明】
【００１６】
【図１】一般的なディスプレイ装置を説明するための斜視図である。
【図２】図１に示されたデコカバー部位のＡ−Ａ切断面を示す断面図である。
【図３】本発明の各実施例によるディスプレイ装置を示す斜視図である。
【図４】本発明の各実施例によるディスプレイ装置の一部を示す背面図である。
【図５】図４のＰ部位を示す拡大図である。
【図６】図５のＡ−Ａ部位切断面を示す断面図である。
【図７】図５のＢ−Ｂ部位切断面を示す断面図である。
【図８】図５のＡ−Ａ部位の変形された実施例を示す断面図である。
【図９】図５のＡ−Ａ部位の変形された実施例を示す断面図である。
【図１０】図５のＢ−Ｂ部位の変形された実施例を示す断面図である。
【発明を実施するための形態】
【００１７】
以下、本発明の各実施例を、例示的な図面を参照して詳細に説明する。各図面の各構成要素に参照符号を付け加えるにおいて、等しい構成要素に対しては、たとえ他の図面上に表示されても可能な限り等しい符号を付している。また、本発明を説明するにおいて、関連される公知構成または機能に対する具体的な説明が、本発明の要旨をあいまいにすることがあると判断される場合には、その詳細な説明は、省略する。
【００１８】
また、本発明の構成要素を説明するにおいて、第１、第２、Ａ、Ｂ、(ａ)、(ｂ)などの用語を使用することができる。このような用語は、その構成要素を他の構成要素と区別するためだけのものであり、その用語によって該当構成要素の本質、順番、順序または個数などが限定されない。ある構成要素が異なる構成要素に“連結”、“結合”または“接続”されると記載した場合、その構成要素は、その他の構成要素に直接的に連結されるか、または接続されることができるが、各構成要素の間に他の構成要素が“介在”されるか、または各構成要素が異なる構成要素を通じて“連結”、“結合”または“接続”されることもできると理解されなければならないであろう。
【００１９】
図３は、本発明の各実施例によるディスプレイ装置を示す斜視図、図４は、本発明の各実施例によるディスプレイ装置の一部を示す背面図、図５は、図４のＰ部位を示す拡大図、図６は、図５のＡ−Ａ部位切断面を示す断面図、図７は、図５のＢ−Ｂ部位切断面を示す断面図、図８と図９は、図５のＡ−Ａ部位の変形された実施例を示す断面図、図１０は、図５のＢ−Ｂ部位の変形された実施例を示す断面図である。
【００２０】
これらの図面に示されたように、本発明の各実施例によるディスプレイ装置３００は、ディスプレイパネル３０１、一側がディスプレイパネル３０１と連結されて他側が印刷回路基板３２０と連結され、印刷回路基板３２０がディスプレイパネル３０１の端部と離隔された位置の後面に平行に配置されるようにベンディングされ、ディスプレイパネル３０１の両側方向に離隔配置される複数個の回路フィルム３２１、回路フィルム３２１と印刷回路基板３２０が内蔵されるようにディスプレイパネル３０１の後面に具備されるバックカバー３１０、印刷回路基板３２０とバックカバー３１０の間隔を維持するように支持して結合される第１支持部材３２５を含む。
【００２１】
先ず、図３を図１と比べると、本発明によるディスプレイ装置３００は、外郭部わく、すなわち、ベゼルの幅が従来に比べて大幅に減少したことを確認することができる。特に、下側ベゼルに該当するバックカバー３１０の幅が、従来ベゼルの幅(Ｗ１)に比べて大幅に減少して、ナローベゼル(narrow bezel)タイプを形成することができるようになっている。
【００２２】
そして、ベゼルの幅を減らすために、本発明の各実施例では、図４乃至図１０に示されたように、回路フィルム３２１と印刷回路基板３２０が、従来と異なり、ディスプレイパネル３０１の後面に平行に配置されている。
【００２３】
すなわち、回路フィルム３２１は、図４と図５に示されたように、ディスプレイパネル３０１の両側方向に離隔配置される複数個が具備される。回路フィルム３２１の一側は、ディスプレイパネル３０１と電気的に連結され、他側は、印刷回路基板３２０と電気的に連結され、印刷回路基板３２０がディスプレイパネル３０１の端部と離隔された位置の後面に平行に配置されるように、回路フィルム３２１がベンディングされる。
【００２４】
したがって、従来に比べてベゼルの幅を最大限減らすことができ、特に、回路フィルム３２１が配置されているディスプレイパネル３０１の端部側ベゼル幅が大幅に減り、ナローベゼルを形成することができるようになる。
【００２５】
このような本発明の各実施例に係るディスプレイパネル３０１は、液晶ディスプレイパネル、または発光ディスプレイパネルに適用することができる。
【００２６】
すなわち、ディスプレイパネル３０１が液晶ディスプレイパネルで構成される場合、液晶ディスプレイパネルに光を照射するためのバックライトユニット、下部基板に付着された下部偏光板、及び上部基板の前面に付着された上部偏光板をさらに含んで構成することができる。下部基板及び上部基板の具体的な構成は、液晶パネルの駆動モード、例えば、ＴＮ(Twisted Nematic)モード、ＶＡ(Vertical Alignment)モード、ＩＰＳ(In plane switching)モード、及びＦＦＳ(Fringe field switching)モードなどによって、当業界に公知された多様な形態で形成されることができる。
【００２７】
また、ディスプレイパネル３０１が発光ディスプレイパネルで構成される場合、発光ディスプレイパネルは、ゲートライン、データライン、及び電源(ＶＤＤ)ラインによって定義される領域ごとに形成された複数の発光セルを含む下部基板及び下部基板に対向して合着された上部基板を含んで構成されることができる。
【００２８】
そして、下部基板に形成された複数の発光セルそれぞれは、ゲートラインとデータラインに接続された少なくとも一つのスイッチングトランジスター、スイッチングトランジスターと電源(ＶＤＤ)ラインに接続された少なくとも一つの駆動トランジスター及び駆動トランジスターのスイッチングによって制御される電流によって発光する発光素子(例として、ＯＬＥＤ)を含んで構成されることができる。上部基板は、水分または大気中の酸素から発光素子を保護するための吸湿剤などを含んで構成される。
【００２９】
この時、上部基板には、駆動トランジスターに接続される発光素子をさらに含んで構成されることもでき、この場合、下部基板の発光素子は、省略されることもできる。
【００３０】
本発明の各実施例において、図３乃至図１０では、発光ディスプレイパネル３０１を一例に示した。この発光ディスプレイパネルは、複数の発光セル自体が主体的に光を発散する構造上、パネルで光を発散するバックライトユニットは示されていない。以下、発光ディスプレイパネル３０１を基準で、説明することにする。
【００３１】
発光ディスプレイパネルのピクセルアレイにある有機化合物は、水分や酸素に露出されれば劣化されるので、このようなピクセル劣化問題を防止するために、封止部材(encapsulation member)３０１ａがディスプレイパネル２０１の後面に接合されてピクセルアレイを密封することができる。
【００３２】
ここで、封止部材３０１ａは、金属基板や硝子基板であることができるし、ディスプレイパネル３０１の前面には、偏光フィルム(図示せず)を接着させることができる。
【００３３】
そして、ピクセルアレイからの光が側面を通じて放出されて光漏れを発生する現象を防止するために、ディスプレイパネル３０１の側面には、サイドシール部材(side seal member)３０１ｂを設けることができる。
【００３４】
ここで、サイドシール部材３０１ｂは、黒色顔料が添加された高分子物質で製作することができる。サイドシール部材３０１ｂがピクセルアレイから放出される光を吸収することで、ディスプレイパネル３０１の側面を通じて放出される光が見えなくなる。
【００３５】
そして、長方形で形成されるディスプレイパネル３０１の少なくともある一側端部の背面には、ＩＣ３２１ａが実装された複数個の可撓性回路フィルム３２１がディスプレイパネル３０１及び印刷回路基板３２０と電気的に連結され、ディスプレイパネル３０１と平行に配置される印刷回路基板３２０が設置される。
【００３６】
そして、複数個の可撓性回路フィルム３２１は、ＴＡＢ(Tape Automated Bonding)工程によってディスプレイパネル３０１及び印刷回路基板３２０にレジンなどの固定部材３３１などで付着されることで、ＴＣＰ(Tape Carrier Package)またはＣＯＦ(Chip On Flexible Board、またはChip On Film)で形成することができる。
【００３７】
これによって、ディスプレイパネル３０１は、複数個の可撓性回路フィルム３２１を通じて印刷回路基板３２０に電気的に接続、あるいは連結され、印刷回路基板３２０は、複数の可撓性回路フィルム３２１に電気的に接続されてディスプレイパネル３０１に画像を表示するための各種信号を提供する。
【００３８】
印刷回路基板３２０は、複数の回路フィルム３２１に電気的に接続されてディスプレイパネル３０１に画像を表示するための各種信号を提供し、このような印刷回路基板３２０にはディスプレイパネル３０１の駆動を制御するための駆動ＩＣ３２１ａなどが実装される。
【００３９】
そして、回路フィルム３２１と印刷回路基板３２０が内蔵されるように、ディスプレイパネル３０１の後面には、バックカバー３１０が具備されて回路フィルム３２１とこれに実装されたＩＣ３２１ａ、印刷回路基板３２０などの内蔵部品とディスプレイパネル３０１の後面などを保護することができるようになっている。
【００４０】
ここで、第１支持部材３２５が印刷回路基板３２０とバックカバー３１０との間に結合されて、印刷回路基板３２０とバックカバー３１０の間隔を維持するように支持して、ベンディングされて配置される回路フィルム３２１とＩＣ、印刷回路基板３２０などを保護することができるようになっている。印刷回路基板３２０と対応される位置のバックカバー３１０には、黒煙(graphite)、接着性絶縁テープなどの絶縁部材３１４が具備されている。
【００４１】
すなわち、ディスプレイパネル３０１とバックカバー３１０の合着製造工程における合着ローラーの加圧力によって、または製造後いろいろな原因による合着方向の物理的な加圧力によって、回路フィルム３２１と印刷回路基板３２０が変形乃至破損されることを防止できるように、第１支持部材３２５が、印刷回路基板３２０とバックカバー３１０との間隔を維持するように支持して結合される。
【００４２】
また、本発明の各実施例は、回路フィルム３２１の離隔された間に配置される第２支持部材３２３をさらに含むことができる。第２支持部材３２３が、ディスプレイパネル３０１とバックカバー３１０との間を支持して結合されることで、特に、回路フィルム３２１がある一側に引かれて片寄るようになるか、または回路フィルム３２１のベンディング部位が折れるか畳まれながら発生される不具合を防止するようになる。
【００４３】
すなわち、第２支持部材３２３がディスプレイパネル３０１とバックカバー３１０との間隔を維持しながら回路フィルム３２１の間に配置されることで、製造工程において、合着ローラーの加圧力や製造後の加圧力から回路フィルム３２１を保護するようになる。
【００４４】
一方、本発明の各実施例は、ディスプレイパネル３０１の後面と回路フィルム３２１との間に結合されて、間隔を維持するように支持する第３支持部材３３０をさらに含むことができる。第３支持部材３３０は、ディスプレイパネル３０１の後面と回路フィルム３２１との間の間隔を維持することと併せて、バックカバー３１０を通じて伝達される衝撃や加圧力をダンピングすることができ、回路フィルム３２１の変形と破損を防止するようになる。
【００４５】
このような第１支持部材３２５、第２支持部材３２３、第３支持部材３３０は、物理的な衝撃を吸収できるように所定の厚さを有する伸縮性材質で形成される接着性絶縁テープ、あるいは接着性熱伝導テープなどを利用することができる。また、第１支持部材３２５、第２支持部材３２３、第３支持部材３３０のうちの少なくとも一つは、ＴＩＭ(thermal interface material)で形成することができる。
【００４６】
そして、第１支持部材３２５、第２支持部材３２３、第３支持部材３３０は、エポキシなどの樹脂組成物に熱伝逹ピラーが含有された構造とすることもできる。ここで、熱伝逹ピラーは、黒煙(graphite)、アルミニウム(Ａｌ)、銅(Ｃｕ)、ニッケル(Ｎｉ)、銀(Ａｇ)などの金属粒子のうちの何れか一つを採用することができる。
【００４７】
また、バックカバー３１０には、第２支持部材３２３が結合される位置にディスプレイパネル３０１側に突き出される段差部３１０ｃが具備されて、ディスプレイ装置全体の厚さが増加することを防止することができるとともに、バックカバー３１０の剛性を増大させることができるようになっている。
【００４８】
そして、バックカバー３１０の段差部３１０ｃ内側面には、放熱部材３１１が具備されており、回路フィルム３２１に具備されている駆動ＩＣ３２１ａが放熱部材３１１と密着されて支持されるようになっている。この結果、ＩＣ３２１ａで発生される熱は、放熱部材３１１を通じてバックカバー３１０に速かに放出される。
【００４９】
ここで、放熱部材３１１は、黒煙(graphite)、接着性熱伝導テープ、ＴＩＭ(thermal interface material)などを利用することができる。
【００５０】
また、回路フィルム３２１のベンディングされた曲率を維持させるように、ディスプレイパネル３０１の後面と回路フィルム３２１のベンディング部位外側に、レジン部材３３３が具備されている。このような構成により、回路フィルム３２１のベンディング部位が折れる、または畳まれる不具合が発生することを防止することができるようになっている。
【００５１】
一方、バックカバー３１０は、ディスプレイパネル３０１の後面に配置される第１プレート３１０aと、第１プレート３１０aの端部で、ディスプレイパネル３０１の端部側に折曲されて回路フィルム３２１とディスプレイパネル３０１の端部を保護する第２プレート３１０ｂが具備されている。
【００５２】
したがって、バックカバー３１０は、ディスプレイパネル３０１の後面と端部を取り囲みながら内蔵された回路フィルム３２１と印刷回路基板３２０などとディスプレイパネル３０１の端部を、外部衝撃から保護するようになる。
【００５３】
このようなバックカバー３１０には、第２プレート３１０ｂの外側面に端部側に行くほど厚さが減る傾斜面３１２が具備されていて、ディスプレイ装置の前面から見た時、ベゼル幅が最小化されたように見える効果を極大化することができるようになる。
【００５４】
一方、バックカバー３１０は、アルミニウム、アルミニウム合金、ステンレススチール、電気亜鉛メッキ鋼板などのような金属材質で形成される。また、バックカバー３１０の熱膨脹、熱変形を防止して剛性補完を図るために、バックカバー３１０は、硝子材質で形成されることもできる。
【００５５】
すなわち、図８乃至図１０に示されたように、バックカバー３１０が硝子材質で形成される場合には、バックカバー３１０の端部に回路フィルム３２１を取り囲むように結合されて回路フィルム３２１とディスプレイパネル３０１の端部を保護するミドルキャビネット３４０設けることができる。
【００５６】
先ず、図８を参照すれば、硝子材質のバックカバー３１０は、金属材質に比べて強度が高くて熱膨脹や熱変形が発生されなくなって、図６と図７に示された金属材質のバックカバー３１０と異なり、第２支持部材３２３が結合される位置に、段差部３１０ｃなしに接着部材３４１でディスプレイパネル３０１と結合される。
【００５７】
また、図９と図１０に示されたように、ミドルキャビネット３４０の前面に別途のデコカバー３５０を結合させることもできる。このように、デコカバー３５０を接着部材３５１でミドルキャビネット３４０の前面に結合させることで、外観デザイン品質を高めることができるようになる。
【００５８】
一方、本発明の各実施例の図面では、一例で、発光ディスプレイパネルである場合のみを図示したが、前述したように、本発明は、液晶ディスプレイパネルの場合にも適用可能であり、この場合、液晶ディスプレイパネルで光を提供するバックライトモジュールが、光源モジュール、光源モジュールから放射された光を加工して液晶パネルに適切な光を提供する導光板、光調節部材及び光反射体などで構成される。ここで、光源モジュールは、電気エネルギーを光エネルギーに切り替える部品であり、発光ダイオード(Light Emitting Diode：ＬＥＤ)アセンブリー、冷陰極蛍光管(Cold Cathode Fluorescent Lamp：ＣＣＦＬ)、または熱陰極蛍光管(Hot Cathode Fluorescent Lamp：ＨＣＦＬ)などを利用することができることは、本発明が属する技術分野で周知の技術であるので、以下詳細な説明は略することにする。
【００５９】
以上で説明したように、本発明によれば、ディスプレイ装置において前面わくの幅を大幅に減らしてナローベゼルタイプを形成することができるようになり、スリム化と軽量化をはかることができる効果がある。
【００６０】
また、本発明によれば、ディスプレイ装置において前面わくの幅を大幅に減らすとともに、ディスプレイパネルに接続される複数の回路フィルムおよび印刷回路基板などを保護して、放熱性能を高めることができる効果がある。
【００６１】
以上で、本発明の実施例を構成するすべての構成要素が一つで結合されるか、または結合されて動作することで説明されたが、本発明は、必ずしもこのような実施例に限定されるものではない。すなわち、本発明の目的範囲内であれば、そのすべての構成要素が一つ以上で選択的に結合して動作することもある。
【００６２】
また、以上で記載した“含む”、“構成する”または、“有する”などの用語は、特別に反対される記載がない限り、該当構成要素が内在されることができることを意味するものであるので、他の構成要素を除くものではなく、他の構成要素をさらに含むことができるものとして解釈されなければならない。技術的または科学的な用語を含んだすべての用語は、異なるように定義されない限り、本発明が属する技術分野で通常の知識を有した者によって一般的に理解されるものと等しい意味を有する。事前に定義された用語のように、一般的に使われる用語は、関連技術の文脈上の意味と一致するものとして解釈されなければならないし、本発明で明白に定義しない限り、理想的であるか、または過度に形式的な意味で解釈されない。
【００６３】
以上の説明は、本発明の技術思想を例示的に説明したことに過ぎないものとして、本発明が属する技術分野で通常の知識を有する者であれば、本発明の本質的な特性から逸脱しない範囲で、多様な修正及び変形が可能であろう。よって、本発明に開示された各実施例は、本発明の技術思想を限定するためではなく、説明するためのものであり、このような実施例によって本発明の技術思想の範囲が限定されるものではない。本発明の保護範囲は、下の請求範囲によって解釈されなければならないし、それと同等な範囲内にあるすべての技術思想は、本発明の権利範囲に含まれるものとして解釈されなければならないであろう。
【符号の説明】
【００６４】
３０１  ディスプレイパネル、３１０  バックカバー、３１１  放熱部材、３２０  印刷回路基板、３２１  回路フィルム、３２３  第２支持部材、３２５  第１支持部材、３３０  第３支持部材、３３３  レジン部材、３４０  ミドルキャビネット。
【図１】
2018084818.tif 000003
【図２】
2018084818.tif 000004
【図３】
2018084818.tif 000005
【図４】
2018084818.tif 000006
【図５】
2018084818.tif 000007
【図６】
2018084818.tif 000008
【図７】
2018084818.tif 000009
【図８】
2018084818.tif 000010
【図９】
2018084818.tif 000011
【図１０】
2018084818.tif 000012